(57)【要約】【課題】取付け凸部の取付け凹部内での捻れを抑制することによって、柄体のブラシ体への取付け状態を確実に保持することができる毛髪化粧料用ブラシを提供する。【解決手段】毛髪化粧料用ブラシ１１は、ブラシ体１２と柄体２１とから構成されている。ブラシ体１２の背面１２ｂの基端部中央には取付け凹部１７が凹設され、その底面には、内奥部に第１捻れ抑制凸部１９が突設されるとともに中央部から基端部にかけて延びるように捻れ抑制凹溝２０が凹設されている。柄体２１の先端部には取付け凹部１７に嵌合される取付け板部２２が突設され、その底面には、第２捻れ抑制凹部２４が凹設されるとともに捻れ抑制突条２５が突設されている。そして、第１捻れ抑制凸部１９と第２捻れ抑制凹部２４、及び捻れ抑制凹溝２０と捻れ抑制突条２５とが係合することにより、取付け板部２２が取付け凹部１７内で捻れるのを抑制するようになっている。【選択図】　　図１
2004081696.tif 000002
【特許請求の範囲】
【請求項１】
前面にブラシ歯が設けられるとともに毛髪化粧料が付着されるブラシ体と、ブラシ体に取付けられる柄体とを備え、
前記ブラシ体の背面の端部に柄体の端部が取付け凹部と取付け凸部の両側部の嵌合関係によって着脱可能に取付けられ、取付け凹部の底面及び取付け凸部の底面には、互いに係合する捻れ抑制係合部が少なくとも二箇所にそれぞれ設けられ、取付け凸部の取付け凹部内での捻れを抑制するように構成されていることを特徴とする毛髪化粧料用ブラシ。
【請求項２】
前記取付け凹部はブラシ体の背面の端部に設けられるとともに、取付け凸部は柄体の端部に設けられ、捻れ抑制係合部は、取付け凹部の底面の内奥部に設けられた第１捻れ抑制凸部と、取付け凹部の底面の端部に設けられた第１捻れ抑制凹部と、取付け凸部の底面に設けられ、第１捻れ抑制凸部と係合する第２捻れ抑制凹部及び第１捻れ抑制凹部と係合する第２捻れ抑制凸部とから構成されている請求項１に記載の毛髪化粧料用ブラシ。
【請求項３】
前記第１捻れ抑制凸部又は第１捻れ抑制凹部は、取付け凹部の長手方向に延びるレール状に設けられ、第１捻れ抑制凸部がレール状に設けられるときには、第２捻れ抑制凹部は取付け凸部の長手方向に延びるレール状に設けられ、第１捻れ抑制凹部がレール状に設けられるときには、第２捻れ抑制凸部は取付け凸部の長手方向に延びるレール状に設けられている請求項２に記載の毛髪化粧料用ブラシ。
【発明の詳細な説明】
【０００１】
【発明の属する技術分野】
本発明は、毛髪に染毛剤、ヘアマニキュア、整髪料、脱色剤等の毛髪化粧料を塗布するために用いられる毛髪化粧料用ブラシに関するものである。より詳しくは、取付け凸部の取付け凹部内での捻れを抑制することによって、柄体のブラシ体への取付け状態を確実に保持することができる毛髪化粧料用ブラシに関するものである。
【０００２】
【従来の技術】
従来、この種の毛髪化粧料用ブラシとしては、例えば特開２００１−３４０１３８号公報に示すような構成のものが知られている。
【０００３】
この従来構成の毛髪化粧料用ブラシは、低密度ポリエチレン等の軟質の合成樹脂材料により長四角板状に形成され、前面に多数のブラシ歯が突設されているブラシ体と、ポリプロピレン等の硬質の合成樹脂材料により細長四角柱状に形成され、ブラシ体に取付けられる柄体とから構成されている。
【０００４】
ブラシ体の背面の基端部には、背面側及び基端側に向かって開口する平面長方形状の取付け凹部が凹設されている。取付け凹部は、その両側面底部に断面コ字状の取付け保持凹溝が側面全体にわたってそれぞれ凹設されるとともに、底面の内奥部に断面三角形状の取付け保持突起が一箇所突設されている。
【０００５】
柄体の先端部には、柄体がブラシ体に取付けられるときに取付け凹部に嵌合される取付け凸部としての取付け板部が形成されている。取付け板部の先端部には、取付け板部の両側縁から一定間隔をおいて一対のスリットが凹設され、取付け板部の先端部において、各スリットよりも側縁側は突出片として構成され、中央側は舌片として構成されている。舌片の底面には、取付け保持突起と係合する取付け保持凹部が一箇所凹設されている。
【０００６】
柄体をブラシ体に取付けるときには、柄体の取付け板部を、ブラシ体の基端側から取付け凹部内に挿入する。このとき、取付け板部は、その両側部が各取付け保持凹溝と係合し、取付け凹部の内奥部に達したときには、取付け保持凹部に取付け保持突起が係合する。
【０００７】
【発明が解決しようとする課題】
ところが、この従来の毛髪化粧料用ブラシにおいては、取付け保持突起は取付け凹部の底面の一箇所にのみ突設され、取付け保持凹部は舌片の底面の一箇所にのみ凹設されている。このため、取付け凹部に嵌合された取付け板部に側方からの捻れの力が加わったときには、その力によって取付け保持突起と取付け保持凹部との係合は容易に解除される。
【０００８】
よって、取付け凹部に嵌合された取付け板部は、その両側部が取付け凹部の両側部に係合することによってのみ取付け凹部内で支持されているために、側方からの捻れの力が加わったときには、取付け板部が取付け凹部内で容易に捻れる。このため、取付け板部が取付け凹部から抜け出し、柄体がブラシ体から離脱する場合があるという問題があった。
【０００９】
本発明は、上記のような従来技術に存在する問題点に着目してなされたものである。その目的とするところは、取付け凸部の取付け凹部内での捻れを抑制することによって、柄体のブラシ体への取付け状態を確実に保持することができる毛髪化粧料用ブラシを提供することにある。
【００１０】
【課題を解決するための手段】
上記の目的を達成するために、請求項１に記載の発明の毛髪化粧料用ブラシは、前面にブラシ歯が設けられるとともに毛髪化粧料が付着されるブラシ体と、ブラシ体に取付けられる柄体とを備え、前記ブラシ体の背面の端部に柄体の端部が取付け凹部と取付け凸部の両側部の嵌合関係によって着脱可能に取付けられ、取付け凹部の底面及び取付け凸部の底面には、互いに係合する捻れ抑制係合部が少なくとも二箇所にそれぞれ設けられ、取付け凸部の取付け凹部内での捻れを抑制するように構成されているものである。
【００１１】
請求項２に記載の発明の毛髪化粧料用ブラシは、請求項１に記載の発明において、前記取付け凹部はブラシ体の背面の端部に設けられるとともに、取付け凸部は柄体の端部に設けられ、捻れ抑制係合部は、取付け凹部の底面の内奥部に設けられた第１捻れ抑制凸部と、取付け凹部の底面の端部に設けられた第１捻れ抑制凹部と、取付け凸部の底面に設けられ、第１捻れ抑制凸部と係合する第２捻れ抑制凹部及び第１捻れ抑制凹部と係合する第２捻れ抑制凸部とから構成されているものである。
【００１２】
請求項３に記載の発明の毛髪化粧料用ブラシは、請求項２に記載の発明において、前記第１捻れ抑制凸部又は第１捻れ抑制凹部は、取付け凹部の長手方向に延びるレール状に設けられ、第１捻れ抑制凸部がレール状に設けられるときには、第２捻れ抑制凹部は取付け凸部の長手方向に延びるレール状に設けられ、第１捻れ抑制凹部がレール状に設けられるときには、第２捻れ抑制凸部は取付け凸部の長手方向に延びるレール状に設けられているものである。
【００１３】
【発明の実施の形態】
（第１の実施形態）
以下、本発明の第１の実施形態を図面に基づいて詳細に説明する。尚、以下の説明においては、図２（ｃ）におけるブラシ体１２を基準にし、ブラシ体１２よりも下側を前面側と称するとともに、上側を背面側と称する。
【００１４】
図１に示すように、毛髪化粧料用ブラシ１１（以下、単にブラシ１１ともいう）を構成するブラシ体１２は長四角板状に形成され、その前面１２ａは短手方向に丸みを帯びるとともに、丸棒状のブラシ歯１３が多数立設されている。
【００１５】
図６に示すように、ブラシ体１２の前面１２ａにおいて、その中央部には多数のブラシ歯１３から構成される１列の中央ブラシ歯列１４が形成されるとともに、両側部には多数のブラシ歯１３から構成される２列の側部ブラシ歯列１５が形成されている。さらに、ブラシ体１２の前面１２ａの先端部には、多数のブラシ歯１３から構成される２列の端部ブラシ歯列１６が前面１２ａに対して斜め外方へ伸びるように形成されている。
【００１６】
図１及び図２（ａ）〜（ｃ）に示すように、ブラシ体１２の背面１２ｂの基端部中央には、背面側及び基端側に向かって開口する平面長方形状の取付け凹部１７が凹設されている。取付け凹部１７の中央部から基端部は、それらの両側面に断面横Ｖ字状の取付け保持凹溝１８がそれぞれ凹設されることにより、蟻溝状に形成されている。
【００１７】
取付け凹部１７の底面には、その内奥部に第１捻れ抑制凸部１９が突設されるとともに、中央部から基端部にかけて延びるレール状をなす第１捻れ抑制凹部としての捻れ抑制凹溝２０が凹設されている。第１捻れ抑制凸部１９は、その基端側に斜面を有する断面直角三角形状に形成され、捻れ抑制凹溝２０は、背面側及び基端側に向かって開口する平面細長長方形状に形成されている。第１捻れ抑制凸部１９及び捻れ抑制凹溝２０は、取付け凹部１７の短手方向の中央にそれぞれ位置している。
【００１８】
図１及び図３に示すように、ブラシ１１を構成する柄体２１は、断面逆Ｕ字状をなす細長四角柱状に形成されている。柄体２１の先端部は前方へ略直角に折曲され、その先端縁には取付け凸部としての細長板状の取付け板部２２が柄体２１の先端部に対して略直角に突設されている。そして、柄体２１をブラシ体１２に取付けるときには、取付け板部２２が取付け凹部１７に嵌合されるようになっている。
【００１９】
取付け板部２２の中央部から基端部にかけて、その両側面には取付け保持突条２３がそれぞれ突設されている。各取付け保持突条２３は、各取付け保持凹溝１８の形状と対応するように三角柱状にそれぞれ形成され、取付け板部２２が取付け凹部１７に嵌合されたときには、各取付け保持凹溝１８にそれぞれ係合するようになっている。
【００２０】
取付け板部２２の底面には、先端部に第２捻れ抑制凹部２４が凹設されるとともに、中央部から基端部にかけて延びるレール状をなす第２捻れ抑制凸部としての捻れ抑制突条２５が突設されている。第２捻れ抑制凹部２４は第１捻れ抑制凸部１９の形状と対応するように断面逆Ｖ字状に形成され、捻れ抑制突条２５は捻れ抑制凹溝２０の形状と対応するように四角柱状に形成されている。第２捻れ抑制凹部２４及び捻れ抑制突条２５は、取付け板部２２の短手方向の中央にそれぞれ位置している。
【００２１】
第１捻れ抑制凸部１９、捻れ抑制凹溝２０、第２捻れ抑制凹部２４及び捻れ抑制突条２５から捻れ抑制係合部が構成されている。そして、取付け板部２２が取付け凹部１７に嵌合されたときには、第１捻れ抑制凸部１９と第２捻れ抑制凹部２４とが係合するとともに、捻れ抑制凹溝２０と捻れ抑制突条２５とが係合するようになっている。
【００２２】
柄体２１の中央部はブラシ１１を使用するときに把持される把持部２６として構成され、把持部２６の先端には、把持部２６を把持するときに滑るのを防止するための断面半円状をなす滑り防止突条２７が柄体２１の外周全体にわたって複数突設されている。
【００２３】
ブラシ体１２及び柄体２１は、ＰＰ（ポリプロピレン）、ＬＬＤＰＥ（直鎖状低密度ポリエチレン）、ＬＤＰＥ（低密度ポリエチレン）、ＭＤＰＥ（中密度ポリエチレン）、ＨＤＰＥ（高密度ポリエチレン）、ＡＢＳ（アクリロニトリル−スチレン共重合体とアクリロニトリル−ブタジエン共重合体とを混合したもの）、ＡＳ（アクリルニトリル−スチレン共重合体）、ＰＳ（ポリスチレン）、ＰＣ（ポリカーボネート）及びそれらを混合したもの等の合成樹脂材料によりそれぞれ形成されている。これらの中でも、引張り強さや伸び率等が高いことから、ＰＰ、ＬＬＤＰＥ、ＬＤＰＥ、ＭＤＰＥ及びＨＤＰＥが好ましい。
【００２４】
ブラシ体１２の前面１２ａに付着される毛髪化粧料の具体例としては、染毛剤、ヘアマニキュア、整髪料、脱色剤等が挙げられる。この毛髪化粧料は泡状、クリーム状、ゲル状、ペースト状等の形態として構成されるが、前面１２ａに付着したときに前面１２ａから垂れ落ちるのを抑制するために、少なくとも増粘剤を含有し、使用するときには、泡状をなして毛髪に塗布されるように構成されているのが好ましい。
【００２５】
さて、このブラシ１１を使用して毛髪に毛髪化粧料を塗布するときには、まず柄体２１をブラシ体１２に取付ける。
図１及び図４（ａ）に示すように、柄体２１をブラシ体１２に取付けるときには、ブラシ体１２の基端側から、取付け凹部１７内に柄体２１の取付け板部２２を挿入する。このとき、各取付け保持凹溝１８と各取付け保持突条２３とがそれぞれ係合するとともに、捻れ抑制凹溝２０と捻れ抑制突条２５とが係合する。
【００２６】
そして、図４（ｂ）に示すように、取付け板部２２の先端部の底面が第１捻れ抑制凸部１９の斜面に摺接すると、取付け板部２２の先端部は第１捻れ抑制凸部１９の斜面に押圧されるために背面側へ弾性変形する。この状態で取付け凹部１７内に取付け板部２２をさらに挿入すると、図４（ｃ）に示すように、取付け板部２２の先端部は前面側へ弾性変形し、第２捻れ抑制凹部２４に第１捻れ抑制凸部１９が係合することにより、取付け凹部１７に取付け板部２２が嵌合される。
【００２７】
このとき、取付け板部２２は、各取付け保持凹溝１８と各取付け保持突条２３とがそれぞれ係合することにより、取付け凹部１７内から背面側へ抜け落ちることなく取付け凹部１７への嵌合状態が保持される。また、第１捻れ抑制凸部１９と第２捻れ抑制凹部２４とが係合することにより、取付け板部２２が取付け凹部１７内から基端側へ抜け落ちるのを抑制することができる。
【００２８】
次いで、前面１２ａに毛髪化粧料を付着した後、ブラシ１１を使用して毛髪に毛髪化粧料を塗布する。このとき、図４（ｃ）及び図５に示すように、第１捻れ抑制凸部１９と第２捻れ抑制凹部２４とが係合するとともに、捻れ抑制凹溝２０と捻れ抑制突条２５とが係合するために、側方からの捻れの力によって取付け板部２２が取付け凹部１７内で捻れるのを抑制することができる。
【００２９】
柄体２１をブラシ体１２から取外すときには、取付け板部２２を取付け凹部１７内から引き抜く。このとき、取付け板部２２の先端部が背面側へ弾性変形することによって第１捻れ抑制凸部１９と第２捻れ抑制凹部２４との係合が解除された後、取付け板部２２は取付け凹部１７内から取外される。
【００３０】
以上詳述した本実施形態によれば、次のような効果が発揮される。
・　第１の実施形態の毛髪化粧料用ブラシ１１においては、ブラシ体１２の背面１２ｂの基端部中央には取付け凹部１７が凹設され、取付け凹部１７の中央部から基端部には、両側面に取付け保持凹溝１８がそれぞれ凹設されている。取付け凹部１７の底面には、第１捻れ抑制凸部１９が突設されるとともに捻れ抑制凹溝２０が凹設されている。一方、柄体２１の先端縁には取付け凹部１７に嵌合される取付け板部２２が突設され、取付け板部２２の両側部には取付け保持突条２３がそれぞれ突設されている。取付け板部２２の底面には、第２捻れ抑制凹部２４が凹設されるとともに捻れ抑制突条２５が突設されている。
【００３１】
そして、取付け凹部１７に取付け板部２２が嵌合されたときには、各取付け保持凹溝１８と各取付け保持突条２３とがそれぞれ係合する。さらに、第１捻れ抑制凸部１９と第２捻れ抑制凹部２４とが係合するとともに、捻れ抑制凹溝２０と捻れ抑制突条２５とが係合するようになっている。
【００３２】
よって、取付け凹部１７に嵌合された取付け板部２２に側方からの捻れの力が加わったときには、第１捻れ抑制凸部１９と第２捻れ抑制凹部２４、及び捻れ抑制凹溝２０と捻れ抑制突条２５とが係合することにより、取付け板部２２が取付け凹部１７内で捻れるのを抑制することができる。このため、取付け板部２２の取付け凹部１７内での捻れを抑制することによって、柄体２１のブラシ体１２への取付け状態を確実に保持することができる。
【００３３】
・　取付け凹部１７の底面には、その内奥部に第１捻れ抑制凸部１９が突設されるとともに、中央部から基端部にかけて捻れ抑制凹溝２０が凹設されている。一方、取付け板部２２の底面には、その先端部に第１捻れ抑制凹部２４が凹設されるとともに、中央部から基端部にかけて捻れ抑制突条２５が突設されている。このため、取付け板部２２を取付け凹部１７内に容易に挿入することができる。
【００３４】
・　捻れ抑制凹溝２０は、取付け凹部１７の底面の中央部から基端部にかけて延びるレール状に凹設されている。一方、捻れ抑制突条２５は、取付け板部２２の底面の中央部から基端部にかけて延びるレール状に突設されている。よって、捻れ抑制凹溝２０が取付け凹部１７の底面の基端部のみに凹設されるとともに捻れ抑制突条２５が取付け板部２２の底面の基端部のみに突設されている場合に比べて、捻れ抑制凹溝２０と捻れ抑制突条２５とが係合する面積を増加させることができる。このため、取付け板部２２が取付け凹部１７内で捻れるのをより確実に抑制することによって、柄体２１のブラシ体１２への取付け状態をより確実に保持することができる。
【００３５】
・　ブラシ体１２及び柄体２１は合成樹脂材料により形成されている。第１捻れ抑制凸部１９は基端側に斜面を有する断面直角三角形状に形成され、第２捻れ抑制凹部２４は、第１捻れ抑制凸部１９の形状と対応する断面逆Ｖ字状に形成されている。このため、取付け凹部１７に取付け板部２２を嵌合するときには、取付け板部２２の先端部が第１捻れ抑制凸部１９の斜面に押圧されて背面側へ弾性変形することにより、第１捻れ抑制凸部１９と第２捻れ抑制凹部２４とを容易に係合させることができる。
【００３６】
さらに、第１捻れ抑制凸部１９と第２捻れ抑制凹部２４とが係合することにより、取付け板部２２の取付け凹部１７への取付け状態を保持することができる。また、取付け板部２２を取付け凹部１７内から引き抜くときには、取付け板部２２の先端部が背面側へ弾性変形することにより、第１捻れ抑制凸部１９と第２捻れ抑制凹部２４との係合を容易に解除することができる。
【００３７】
・　第１捻れ抑制凸部１９及び捻れ抑制凹溝２０は取付け凹部１７の短手方向の中央にそれぞれ位置するとともに、第２捻れ抑制凹部２４及び捻れ抑制突条２５は取付け板部２２の短手方向の中央にそれぞれ位置している。このため、取付け凹部１７に取付け板部２２が嵌合されたときには、取付け板部２２は取付け凹部１７とそれらの中央部及び両側部で係合することにより、取付け板部２２の取付け凹部１７内での捻れをさらに確実に抑制することができる。よって、取付け板部２２が取付け凹部１７内で捻れるのをさらに確実に抑制することによって、柄体２１のブラシ体１２への取付け状態をさらに確実に保持することができる。（第２の実施形態）
次に、本発明の第２の実施形態を図面に基づいて詳細に説明する。なお、この第２の実施形態については、第１の実施形態と異なる点を中心に説明する。
【００３８】
図７に示すように、ブラシ体１２はその背面１２ｂ全体にわたって断面横コ字状の凹部２８が凹設され、取付け凹部１７は、背面１２ｂの基端部中央に突設された四角柱状の基台２９に凹設されている。取付け凹部１７は、その両側面全体にわたって取付け保持凹溝１８が蟻溝状に形成されている。第１捻れ抑制凸部１９は四角柱状に形成され、捻れ抑制凹溝２０は、内奥部から基端部に向かうに従い幅広となるテーパ状に形成されている。
【００３９】
図７及び図８に示すように、取付け板部２２はその両側面全体にわたって取付け保持突条２３が突設され、先端部には平面コ字状のスリット３０が貫通形成されるとともに底面に正面長方形状の挿入用凹部３１が凹設されている。そして、取付け板部２２の先端部において、スリット３０の内側は捻れ抑制片３２として構成され、その先端縁には捻れ抑制係合部を構成する捻れ抑制凸部３３が下方へ突設されている。
【００４０】
捻れ抑制凸部３３は、その基端側に斜面を有する断面直角三角形状に形成され、取付け板部２２が取付け凹部１７に嵌合されたときには、先端側の側面と第１捻れ抑制凸部１９の内奥側の側面とが係合するようになっている。図７及び図１０に示すように、柄体２１の先端部には取付け板部２２の基端側に四角板状の誤挿入防止片３４が突設され、その底面は捻れ抑制突条２５の底面と同一面になっている。捻れ抑制突条２５は、捻れ抑制凹溝２０の形状と対応するように先端部から基端部に向かうに従い幅広となるテーパ状に形成されている。
【００４１】
図７及び図９（ａ）に示すように、柄体２１をブラシ体１２に取付けるときには、取付け凹部１７内に柄体２１の取付け板部２２を挿入する。このとき、各取付け保持凹溝１８と各取付け保持突条２３とがそれぞれ係合するとともに、捻れ抑制凹溝２０と捻れ抑制突条２５とが係合する。そして、図９（ｂ）に示すように、挿入用凹部３１が第１捻れ抑制凸部１９上を通過した後に捻れ抑制凸部３３の斜面が第１捻れ抑制凸部１９に摺接すると、捻れ抑制凸部３３は第１捻れ抑制凸部１９に押圧され、捻れ抑制片３２の先端部は背面側へ弾性変形する。
【００４２】
この状態で取付け凹部１７内に取付け板部２２をさらに挿入すると、図９（ｃ）及び図１０に示すように、捻れ抑制片３２の先端部は前面側へ弾性変形し、捻れ抑制凸部３３の先端側の側面と第１捻れ抑制凸部１９の内奥側の側面とが係合することにより、取付け凹部１７に取付け板部２２が嵌合される。このとき、誤挿入防止片３４とブラシ体１２の基端面とが係合する。
【００４３】
以上詳述した本実施形態によれば、次のような効果が発揮される。
・　第２の実施形態の毛髪化粧料用ブラシ１１においては、取付け板部２２の先端部にはスリット３０が貫通形成され、スリット３０の内側は、先端縁に捻れ抑制凸部３３が下方へ突設されている捻れ抑制片３２として構成されている。よって、取付け凹部１７に取付け板部２２を嵌合するときには、第１の実施形態のブラシ１１に対して、捻れ抑制片３２を容易に弾性変形することができるために、捻れ抑制凸部３３の先端側の側面と第１捻れ抑制凸部１９の内奥側の側面とを容易に係合させることができる。
【００４４】
・　捻れ抑制凹溝２０は、内奥部から基端部に向かうに従い幅広となるテーパ状に形成され、捻れ抑制突条２５は、捻れ抑制凹溝２０の形状と対応するように先端部から基端部に向かうに従い幅広となるテーパ状に形成されている。さらに、取付け凹部１７は両側面全体にわたって取付け保持凹溝１８が凹設され、取付け板部２２は両側面全体にわたって取付け保持突条２３が突設されている。
【００４５】
よって、第１の実施形態のブラシ１１に対して、捻れ抑制凹溝２０と捻れ抑制突条２５とが係合する面積、及び取付け保持凹溝１８と取付け保持突条２３とが係合する面積をそれぞれ増加させることができるために、取付け板部２２が取付け凹部１７内で捻れるのをより確実に抑制することができる。
【００４６】
・　柄体２１の先端部には、取付け板部２２の基端側に四角板状の誤挿入防止片３４が突設されている。このため、誤挿入防止片３４とブラシ体１２の基端面とが係合することにより、取付け板部２２がその基端側から取付け凹部１７内に誤挿入されるのを防止することができる。
【００４７】
なお、前記実施形態を次のように変更して構成することもできる。
・　各実施形態の毛髪化粧料用ブラシ１１において、前記ブラシ体１２の背面１２ｂの基端部中央に取付け板部２２を突設するとともに、柄体２１の先端縁に取付け凹部１７を凹設してもよい。
【００４８】
・　第１の実施形態の毛髪化粧料用ブラシ１１において、図１１及び図１２に示すように、前記第１捻れ抑制凸部１９を、取付け凹部１７の底面の内奥部から中央部にかけて延びるレール状に突設してもよい。このとき、捻れ抑制凹溝２０は取付け凹部１７の底面の基端部に凹設される。一方、第２捻れ抑制凹部は、第１捻れ抑制凸部１９の形状と対応して取付け板部の底面の先端部から中央部にかけて延びるレール状に凹設されるとともに、捻れ抑制突条は、取付け板部の底面の基端部に突設される。
【００４９】
このように構成した場合は、取付け板部２２の先端部の底面が第１捻れ抑制凸部１９の斜面に摺接するときに、第１捻れ抑制凸部１９が取付け凹部１７の内奥部に突設されている場合に比べて、取付け板部２２の先端部を背面側へ容易に弾性変形することができる。よって、取付け板部２２を取付け凹部１７に容易に嵌合させることができる。第２の実施形態の毛髪化粧料用ブラシ１１においても、上述と同様に変更してもよい。
【００５０】
・　第１の実施形態の毛髪化粧料用ブラシ１１において、図１１〜図１３（ａ）に示すように、前記取付け保持凹溝１８の背面側の側面を、その中央部から背面に向かうに従い外方へ傾斜するように形成してもよい。また、図１３（ｂ）に示すように、取付け保持凹溝１８を、取付け凹部１７の両側面底部に断面コ字状に凹設してもよい。第２の実施形態の毛髪化粧料用ブラシ１１においても、上述と同様に変更してもよい。
【００５１】
・　各実施形態の毛髪化粧料用ブラシ１１において、図１３（ｃ）に示すように、捻れ抑制凹溝２０を蟻溝状に凹設してもよい。このとき、捻れ抑制突条は、捻れ抑制凹溝２０の形状に対応して底部に向かうに従い幅広になる三角柱状に形成される。また、前記取付け凹部１７の底面に、第１捻れ抑制凸部１９が取付け凹部１７の短手方向に並ぶように複数突設してもよい。さらに、図１３（ｄ）に示すように、捻れ抑制凹溝２０を、取付け凹部１７の短手方向に並ぶように複数凹設してもよい。
【００５２】
このとき、取付け板部２２の底面には、各第１捻れ抑制凸部１９と対応する箇所に第２捻れ抑制凹部２４がそれぞれ凹設される、又は捻れ抑制凸部３３が突設されるとともに、各捻れ抑制凹溝２０と対応する箇所に捻れ抑制突条２５がそれぞれ突設される。各第１捻れ抑制凸部１９又は各捻れ抑制凹溝２０は、取付け凹部１７の中央からそれぞれ対称位置に形成されるのが好ましい。
【００５３】
・　第１の実施形態の毛髪化粧料用ブラシ１１において、図１４に示すように、取付け凹部１７を、内奥部から基端部に向かうに従い幅広に形成してもよい。このとき、取付け板部は、取付け凹部１７の形状に対応して先端部から基端部に向かうに従い幅広に形成される。
【００５４】
このように構成した場合は、取付け凹部１７内に、取付け板部２２を逆方向から挿入することができないために、取付け板部２２がその基端側から取付け凹部１７内に誤挿入されるのを防止することができる。第２の実施形態の毛髪化粧料用ブラシ１１においては、誤挿入防止片３４を省略するとともに、上述と同様に変更してもよい。
【００５５】
・　第１の実施形態の毛髪化粧料用ブラシ１１において、前記第１捻れ抑制凸部１９の内奥側の側面を、内奥部に向かうに従い前面側へ傾斜するように形成してもよい。このとき、第２捻れ抑制凹部２４の先端側の側面は、先端部に向かうに従い前面側へ傾斜するように形成されている。このように構成した場合は、第１捻れ抑制凸部１９と第２捻れ抑制凹部２４との係合を容易に解除することができる。
【００５６】
・　第２の実施形態の毛髪化粧料用ブラシ１１において、前記第１捻れ抑制凸部１９を、基端側に斜面を有する断面直角三角形状に形成してもよい。このように構成した場合は、第１捻れ抑制凸部１９と捻れ抑制凸部３３とを容易に係合させることができる。また、第１捻れ抑制凸部１９を、内奥側に斜面を有する断面直角三角形状に形成してもよいし、捻れ抑制凸部３３を、基端側と先端側とに斜面を有する断面三角形状に形成してもよい。このように構成した場合は、第１捻れ抑制凸部１９と捻れ抑制凸部３３との係合を容易に解除することができる。
【００５７】
・　第２の実施形態の毛髪化粧料用ブラシ１１において、前記第１捻れ抑制凸部１９を、捻れ抑制係合部を構成する捻れ抑制凹部に変更し、捻れ抑制凸部３３をその下端部が第２捻れ抑制突条２５の底面を通る平面上に位置するように形成してもよい。このとき、取付け凹部１７内に取付け板部２２を挿入すると、捻れ抑制凸部３３と捻れ抑制凹部とが係合する。
【００５８】
次に、前記実施形態から把握できる技術的思想について以下に記載する。
（１）前記第１捻れ抑制凸部及び第１捻れ抑制凹部は取付け凹部の短手方向の中央にそれぞれ位置するとともに、第２捻れ抑制凹部及び第２捻れ抑制凸部は取付け凸部の短手方向の中央にそれぞれ位置している請求項２又は請求項３に記載の毛髪化粧料用ブラシ。この構成によれば、取付け凸部の取付け凹部内での捻れをより確実に抑制することができる。
【００５９】
（２）前記第１捻れ抑制凸部は取付け凹部の内奥部に設けられ、第１捻れ抑制凹部は取付け凹部の中央部から端部にかけて延びるレール状に設けられている請求項２、請求項３及び上記（１）のいずれか一項に記載の毛髪化粧料用ブラシ。この構成によれば、取付け凸部を取付け凹部内により容易に挿入することができるとともに、取付け凸部の取付け凹部内での捻れをより確実に抑制するこができる。
【００６０】
（３）前記取付け凸部は、柄体の端部に設けられるとともに両側部の底部に断面矩形状の取付け保持凸部が設けられ、取付け凹部は、ブラシ体の背面の端部に設けられるとともに両側部の底部に取付け保持凸部と係合する取付け保持凹部が設けられ、捻れ抑制係合部は、取付け凹部の底面の内奥部に設けられた第１捻れ抑制凹部と、取付け凹部の底面の端部に設けられた第２捻れ抑制凹部と、取付け凸部の底面に設けられ、第１捻れ抑制凹部と係合する第１捻れ抑制凸部及び第２捻れ抑制凹部と係合する第２捻れ抑制凸部とから構成されている請求項１に記載の毛髪化粧料用ブラシ。この構成によれば、取付け凸部の取付け凹部内での捻れをより確実に抑制することによって、柄体のブラシ体への取付け状態をより確実に保持することができる。
【００６１】
【発明の効果】
本発明は、以上のように構成されているため、次のような効果を奏する。
請求項１に記載の発明の毛髪化粧料用ブラシによれば、取付け凸部の取付け凹部内での捻れを抑制することによって、柄体のブラシ体への取付け状態を確実に保持することができる。
【００６２】
請求項２に記載の発明の毛髪化粧料用ブラシによれば、請求項１に記載の発明の効果に加え、取付け凸部を取付け凹部内に容易に挿入することができる。
請求項３に記載の発明の毛髪化粧料用ブラシによれば、請求項２に記載の発明の効果に加え、取付け凸部の取付け凹部内での捻れをより確実に抑制することによって、柄体のブラシ体への取付け状態をより確実に保持することができる。
【図面の簡単な説明】
【図１】第１の実施形態の毛髪化粧料用ブラシを示す分解斜視図。
【図２】（ａ）はブラシ体を示す平面図、（ｂ）はブラシ体を示す要部拡大断面図、（ｃ）はブラシ体を示す正面図。
【図３】柄体を示す要部拡大断面図。
【図４】（ａ）及び（ｂ）は柄体をブラシ体に取付ける途中の状態を示す要部拡大断面図、（ｃ）は柄体をブラシ体に取付けた状態を示す要部拡大断面図。
【図５】柄体をブラシ体に取付けた状態を示す要部拡大断面図。
【図６】毛髪化粧料用ブラシを示す斜視図。
【図７】第２の実施形態の毛髪化粧料用ブラシを示す分解斜視図。
【図８】柄体を示す要部拡大平面図。
【図９】（ａ）及び（ｂ）は柄体をブラシ体に取付ける途中の状態を示す要部拡大断面図、（ｃ）は柄体をブラシ体に取付けた状態を示す要部拡大断面図。
【図１０】柄体をブラシ体に取付けた状態を示す要部拡大断面図。
【図１１】ブラシ体の別例を示す平面図。
【図１２】ブラシ体の別例を示す要部拡大断面図。
【図１３】（ａ）〜（ｄ）はブラシ体の別例を示す正面図。
【図１４】ブラシ体の別例を示す平面図。
【符号の説明】
１１…毛髪化粧料用ブラシ、１２…ブラシ体、１２ａ…前面、１２ｂ…背面、１３…ブラシ歯、１７…取付け凹部、１９…捻れ抑制係合部を構成する第１捻れ抑制凸部、２０…捻れ抑制係合部を構成する第１捻れ抑制凹部としての捻れ抑制凹溝、２１…柄体、２２…取付け凸部としての取付け板部、２４…捻れ抑制係合部を構成する第２捻れ抑制凹部、２５…捻れ抑制係合部を構成する第２捻れ抑制凸部としての捻れ抑制突条、３３…捻れ抑制係合部を構成する捻れ抑制凸部。
【図１】
2004081696.tif 000003
【図２】
2004081696.tif 000004
【図３】
2004081696.tif 000005
【図４】
2004081696.tif 000006
【図５】
2004081696.tif 000007
【図６】
2004081696.tif 000008
【図７】
2004081696.tif 000009
【図８】
2004081696.tif 000010
【図９】
2004081696.tif 000011
【図１０】
2004081696.tif 000012
【図１１】
2004081696.tif 000013
【図１２】
2004081696.tif 000014
【図１３】
2004081696.tif 000015
【図１４】
2004081696.tif 000016